(57)【要約】【課題】  Ｙ分岐接続に必要な接続材料のコスト低減及び軽量化を図り、分岐接続の作業性を向上させ、分岐枡の省スペース化を実現する。【解決手段】  絶縁筒２２は一口側に楕円筒状のケーブル挿入口２３、二口側に円形筒状のケーブル挿入口２４、２５を持つ中空の樹脂成形品である。各電力ケーブル３１、３２、３３にスペーサ３５、３６、３７を仮挿入する。各ケーブル導体３１ａ、３２ａ、３３ａに接続端子４５、４６、４７を接続する。二口側の電力ケーブル３１、３２に絶縁筒２２の二口側のケーブル挿入口２４、２５に仮挿入する。両側の接続端子４５、４６、４７を接続する。絶縁筒２２を一口側にスライドさせて戻し、各スペーサ３５、３６、３７をそれぞれのケーブル挿入口２３、２４、２５に嵌合させる。次いで防水処理を施す。【選択図】  図１
2005354843.tif 000002
【特許請求の範囲】
【請求項１】
一端側に楕円筒状の１つのケーブル挿入口、他端側に円形筒状の２つのケーブル挿入口を持ち、外部半導電層と絶縁体と内部半導電層との３層からなり、前記両側のケーブル挿入口の近傍の断面外形が長方形をなす中空筒状の絶縁筒を備え、この絶縁筒の内部に、一口側のケーブル挿入口から挿入した電力ケーブルの導体と二口側の２つのケーブル挿入口からそれぞれ挿入した電力ケーブルの導体とを電気的に接続した分岐状電気的接続部を収容し、各電力ケーブルのケーブル挿入口部分にそれぞれ、絶縁体と外部半導電層との２層又は絶縁体と外部半導電層と内部半導電層との３層からなるスペーサを被せ、各スペーサをそれぞれのケーブル挿入口に嵌合させたことを特徴とする電力ケーブルのＹ分岐接続部構造。
【請求項２】
前記二口側の２つのケーブル挿入口の部分に、電力ケーブルのシース部外面から絶縁筒のケーブル挿入口部外面に渡って、常温収縮チューブ又は熱収縮チューブからなる防水チューブが被せられたことを特徴とする請求項１記載の電力ケーブルのＹ分岐接続部構造。
【請求項３】
前記二口側の２つのケーブル挿入口が同一径であって、二口側の２つのケーブル挿入口の一方に挿入される電力ケーブルが他方の電力ケーブルより小外径である場合に、前記一方の電力ケーブルの前記防水チューブが被せられる部分に、他方の電力ケーブルに合わせた外径の防水用スペーサを被せたことを特徴とする請求項２記載の電力ケーブルのＹ分岐接続部構造。
【請求項４】
前記分岐状電気的接続部が、前記一口側のケーブル挿入口から挿入した電力ケーブルの導体に圧縮接続した羽子板圧縮端子の両面に、前記二口側の２つのケーブル挿入口からそれぞれ挿入した電力ケーブルの導体にそれぞれ圧縮接続した羽子板圧縮端子をそれぞれ接触させボルト・ナットで締め付けて構成したことを特徴とする請求項１〜３記載の電力ケーブルのＹ分岐接続部構造。
【請求項５】
前記絶縁筒の内部半導電層部分である内面に、絶縁筒長手方向に延在する突条を前記分岐状電気的接続部に接触するように形成したことを特徴とする請求項１〜４記載の電力ケーブルのＹ分岐接続部構造。
【請求項６】
一端側に楕円筒状の１つのケーブル挿入口、他端側に円形筒状の２つのケーブル挿入口を持ち、外部半導電層と絶縁体と内部半導電層との３層からなり、前記両側のケーブル挿入口の近傍の断面外形が長方形をなす中空筒状の絶縁筒を用いて、一口側の１本の電力ケーブルと二口側の２本の電力ケーブルとのＹ分岐接続を行なう電力ケーブルのＹ分岐接続方法であって、
（１）各電力ケーブルの皮剥ぎをしてケーブル導体を露出させる工程と、
（２）二口側の電力ケーブルにそれぞれ、絶縁体と半導電層との２層又は３層からなる断面外形が円形のスペーサを仮挿入し、かつ、一口側の電力ケーブルに、前記と同じ材料で断面外形が楕円状のスペーサを仮挿入する工程と、
（３）各電力ケーブルの導体に接続端子を取り付ける工程と、
（４）前記絶縁筒の二口側の２つのケーブル挿入口に二口側の２本の電力ケーブルをそれぞれ挿入し、絶縁筒を二口側の電力ケーブルの奥にスライドさせて仮挿入する工程と、
（５）一口側の電力ケーブルの接続端子と二口側の電力ケーブルの接続端子とを電気的に接続する工程と、
（６）前記絶縁筒を一口側にスライドさせて、一口側の電力ケーブルに被せたスペーサを絶縁筒の一口側のケーブル挿入口に嵌合させ、かつ二口側の電力ケーブルに被せたスペーサを絶縁筒の二口側のケーブル挿入口に嵌合させる工程と、
（７）絶縁筒の各ケーブル挿入口近傍について、絶縁筒とスペーサとの境界部分、スペーサから電力ケーブルのシース部分に渡る部分に防水処理を施す工程と、
からなることを特徴とする電力ケーブルのＹ分岐接続方法
【請求項７】
請求項６記載の電力ケーブルのＹ分岐接続方法において、二口側についての絶縁筒とスペーサとの境界部分、及び、前記スペーサから電力ケーブルのシース部分に渡る部分に防水処理を施す方法として、
請求項６のＹ分岐接続方法における（１）に続く段階で、予め二口側の電力ケーブルに、インナーコアに被せられて拡径状態に保持された常温収縮チューブ又は加熱前の熱収縮チューブからなる防水チューブを仮挿入しておき、同じく（７）に続く段階で、前記インナーコアを除去して又は熱収縮チューブを加熱して常温収縮チューブ又は熱収縮チューブからなる防水チューブを収縮させて、この防水チューブを、絶縁筒のケーブル挿入口部分から電力ケーブルのシース部分に渡って被せることを特徴とする電力ケーブルのＹ分岐接続方法。
【発明の詳細な説明】
【技術分野】
【０００１】
この発明は、電力ケーブルのＹ分岐接続部構造、及びＹ分岐接続方法に関する。
【背景技術】
【０００２】
従来より、幹線電力ケーブルからケーブルを分岐する分岐接続部構造として、Ｙ分岐接続部構造がある。図１６に模式的に示すように、この種の従来のＹ分岐接続部構造は、円錐面状の雌端子部３ａを３箇所に持つ分岐用導体３を、絶縁体および内外半導電層を持つ樹脂の絶縁成形体４内に埋め込んだ構造のＹ分岐接続本体１を用いるものであり、各電力ケーブル５の皮剥ぎして露出させたケーブル導体６をクサビ７を介してそれぞれの雌端子部３ａに嵌合接触させて電気的に接続する。その後防水処理等を施して、電力ケーブルのＹ分岐接続部構造を得る。なお、８は電力ケーブル５に設けたストレスコーンであり、図示略の取付機構により、ストレスコーン８を絶縁成形体４の開口部に押し込む形で、電力ケーブル５をＹ分岐接続本体１側に固定する。
【発明の開示】
【発明が解決しようとする課題】
【０００３】
上記従来の分岐接続部構造は、分岐用導体３を絶縁成形体４内に埋め込んだ分岐接続部本体１を用いる構造であるが、分岐用導体の埋め込み成形はコストが高くつく。また、金属で重量大の分岐用導体を埋め込んでいるから、分岐接続本体１の重量が大となり、作業性が悪くなる。
また、図１６の構造の場合、分岐接続部構造全体としてコンパクトにならず、また、三相の配電線路の３本の幹線電力ケーブルの分岐接続部を収容する分岐枡（ハンドホール）等の分岐接続部収容設備において、並べて配置した場合に、広いスペースを占める。
【０００４】
本発明は上記従来の欠点を解消するためになされたもので、接続材料のコスト低減及び軽量化を図り、分岐接続の作業性を向上させ、さらに、コンパクト化、および分岐枡等の分岐接続部収容設備の省スペース化を実現することのできる電力ケーブルのＹ分岐接続部構造及びＹ分岐接続方法を提供することを目的とする。
【課題を解決するための手段】
【０００５】
上記課題を解決する請求項１の発明の電力ケーブルのＹ分岐接続部構造は、一端側に楕円筒状の１つのケーブル挿入口、他端側に円形筒状の２つのケーブル挿入口を持ち、外部半導電層と絶縁体と内部半導電層との３層からなり、前記両側のケーブル挿入口の近傍の断面外形が長方形をなす中空筒状の絶縁筒を備え、この絶縁筒の内部に、一口側のケーブル挿入口から挿入した電力ケーブルの導体と二口側の２つのケーブル挿入口からそれぞれ挿入した電力ケーブルの導体とを電気的に接続した分岐状電気的接続部を収容し、各電力ケーブルのケーブル挿入口部分にそれぞれ、絶縁体と外部半導電層との２層又は絶縁体と外部半導電層と内部半導電層との３層からなるスペーサを被せ、各スペーサをそれぞれのケーブル挿入口に嵌合させたことを特徴とする。
【０００６】
請求項２は、請求項１において、二口側の２つのケーブル挿入口の部分に、電力ケーブルのシース部外面から絶縁筒のケーブル挿入口部外面に渡って、常温収縮チューブ又は熱収縮チューブからなる防水チューブが被せられたことを特徴とする。
【０００７】
請求項３は、請求項２において、二口側の２つのケーブル挿入口が同一径であって、二口側の２つのケーブル挿入口の一方に挿入される電力ケーブルが他方の電力ケーブルより小外径である場合に、前記一方の電力ケーブルの前記防水チューブが被せられる部分に、他方の電力ケーブルに合わせた外径の防水用スペーサを被せたことを特徴とする。
【０００８】
請求項４は、請求項１〜３において、分岐状電気的接続部が、前記一口側のケーブル挿入口から挿入した電力ケーブルの導体に圧縮接続した羽子板圧縮端子の両面に、前記二口側の２つのケーブル挿入口からそれぞれ挿入した電力ケーブルの導体にそれぞれ圧縮接続した羽子板圧縮端子をそれぞれ接触させボルト・ナットで締め付けて構成したことを特徴とする。
【０００９】
請求項５は、請求項１〜４において、絶縁筒の内部半導電層部分である内面に、絶縁筒長手方向に延在する突条を前記分岐状電気的接続部に接触するように形成したことを特徴とする。
【００１０】
請求項６の発明は、一端側に楕円筒状の１つのケーブル挿入口、他端側に円形筒状の２つのケーブル挿入口を持ち、外部半導電層と絶縁体と内部半導電層との３層からなり、前記両側のケーブル挿入口の近傍の断面外形が長方形をなす中空筒状の絶縁筒を用いて、一口側の１本の電力ケーブルと二口側の２本の電力ケーブルとのＹ分岐接続を行なう電力ケーブルのＹ分岐接続方法であって、
（１）各電力ケーブルの皮剥ぎをしてケーブル導体を露出させる工程と、
（２）二口側の電力ケーブルにそれぞれ、絶縁体と半導電層との２層又は３層からなる断面外形が円形のスペーサを仮挿入し、かつ、一口側の電力ケーブルに、前記と同じ材料で断面外形が楕円状のスペーサを仮挿入する工程と、
（３）各電力ケーブルの導体に接続端子を取り付ける工程と、
（４）前記絶縁筒の二口側の２つのケーブル挿入口に二口側の２本の電力ケーブルをそれぞれ挿入し、絶縁筒を二口側の電力ケーブルの奥にスライドさせて仮挿入する工程と、
（５）一口側の電力ケーブルの接続端子と二口側の電力ケーブルの接続端子とを電気的に接続する工程と、
（６）前記絶縁筒を一口側にスライドさせて、一口側の電力ケーブルに被せたスペーサを絶縁筒の一口側のケーブル挿入口に嵌合させ、かつ二口側の電力ケーブルに被せたスペーサを絶縁筒の二口側のケーブル挿入口に嵌合させる工程と、
（７）絶縁筒の各ケーブル挿入口近傍について、絶縁筒とスペーサとの境界部分、スペーサから電力ケーブルのシース部分に渡る部分に防水処理を施す工程と、
からなることを特徴とする
【００１１】
請求項７は、請求項６記載の電力ケーブルのＹ分岐接続方法において、二口側についての絶縁筒とスペーサとの境界部分、及び、前記スペーサから電力ケーブルのシース部分に渡る部分に防水処理を施す方法として、請求項６のＹ分岐接続方法における（１）に続く段階で、予め二口側の電力ケーブルに、インナーコアに被せられて拡径状態に保持された常温収縮チューブ又は加熱前の熱収縮チューブからなる防水チューブを仮挿入しておき、同じく（７）に続く段階で、前記インナーコアを除去して又は熱収縮チューブを加熱して常温収縮チューブ又は熱収縮チューブからなる防水チューブを収縮させて、この防水チューブを、絶縁筒のケーブル挿入口部分から電力ケーブルのシース部分に渡って被せることを特徴とする。
【発明の効果】
【００１２】
本発明によれば、電力ケーブルの導体に接続した接続端子どうしを直接接続する構造（分岐状電気的接続部）であり、そして、この分岐状電気的接続部が中空の絶縁筒内に収容された構造であるから、分岐接続部構造全体のコンパクト化を実現できる。
また、絶縁筒の一口側のケーブル挿入口が楕円筒状をなしているので、幅方向寸法がコンパクトである。また、絶縁筒の両側のケーブル挿入口の近傍の断面外形が長方形をなすので、３つを並べて配置した時、幅方向に広いスペースを占めないので、分岐枡等の分岐接続部収容設備の省スペース化を実現できる。
絶縁筒は、従来のような分岐用導体を内部に埋め込んだ構造でなく、単なる樹脂中空体であるから、絶縁筒の樹脂成形のコストを安価にできる。また、金属で重量大の分岐接続本体を埋め込んでいないから、絶縁筒は軽量であり、分岐接続作業の作業性も向上する。
【００１３】
また、従来のＹ分岐接続部構造のように３箇所の接続端子部分にそれぞれ絶縁筒を被せるような煩雑さがなく、１つの絶縁筒を操作するだけでよいから、すなわち、絶縁筒を予め二口側の電力ケーブルに仮挿入しておき、接続端子同士の接続をした後に逆にスライドさせて戻すことにより、分岐状電気的接続部を覆うことができるから、分岐接続作業の作業性が著しく向上する。
【００１４】
二口側のケーブル挿入口近傍ではテープ巻きが困難で防水テープによる防水処理を施すのが困難であるが、請求項２のように、二口側のケーブル挿入口近傍の防水処理として、常温収縮チューブ又は熱収縮チューブからなる防水チューブを用いると、防水処理を容易にかつ能率的に行なうことができる。
【００１５】
請求項３によれば、一方の小外径の電力ケーブルについては、これに防水用スペーサを被せることで、他方の電力ケーブルと同様に、常温収縮チューブ又は熱収縮チューブによる防水チューブで防水処理を施すことができるので、二口側のケーブル挿入口を同一径として、種々の外径（シース外径）の電力ケーブルに適用可能となり、汎用性が高い。
【００１６】
請求項４のように、電力ケーブルの導体に羽子板圧縮端子を圧縮接続し、羽子板圧縮端子を重ね合わせボルト締めして分岐状電気的接続部を形成する構造は、概ね縦長になるので、上記の絶縁筒の縦長の中空部に収容する分岐状電気的接続部の構造として適している。
【００１７】
絶縁筒の内部半導電層は分岐状電気的接続部に接触させる必要があるが、請求項５にように、絶縁筒の内部半導電層部分である内面に絶縁筒長手方向に延在する突条を設けた構成によれば、単に絶縁筒をスライドさせて突状を分岐状電気的接続部の部分に位置させるという極めて簡単な操作で、内部半導電層を分岐状電気的接続部に接触させることができる。したがって、コスト高あるいは複雑な手間を必要とする接触手段を採用する必要がない。
【００１８】
請求項７あるいは請求項８のＹ分岐接続方法によれば、本発明のＹ分岐接続部構造における各接続材料の形状・構造・特性を有効に活かして、Ｙ分岐接続作業を極めて能率的に行なうことができる。
【発明を実施するための最良の形態】
【００１９】
以下、本発明を実施した電力ケーブルのＹ分岐接続部構造及びＹ分岐接続方法について、図面を参照して説明する。
【実施例１】
【００２０】
図１は本発明の一実施例の電力ケーブルのＹ分岐接続部構造の断面図、図２は図１における絶縁筒のみを示した断面図、図３は図２のＡ−Ａ断面図、図４は図２のＢ−Ｂ断面図である。
この電力ケーブルのＹ分岐接続部構造２１は、図２に単独で示したごとき絶縁筒２２を用いる。この絶縁筒２２は、一端側に楕円筒状の１つのケーブル挿入口２３、他端側に同一内径及び外径の円形筒状の２つのケーブル挿入口２４、２５を備え、一口側のケーブル挿入口２３の近傍及び二口側のケーブル挿入口２４、２５の近傍の断面外形が長方形をなす中空筒状である。絶縁筒２２は、外部半導電層２６と絶縁体２７と内部半導電層２８との３層からなり、エチレンプロピレンゴムの一体成形品である。絶縁筒２２の内部の長手方向中央近傍の側面は、図３、図４に示すように平坦面であり、機能上、内部半導電層２８を充電部（後述する羽子板圧縮端子、ケーブル導体の部分）と物理的に接触させて同電位にする必要があるため、内部半導電層２８の平坦な内側側面２８ａに、羽子板圧縮端子（４５、４６、４７）の幅より狭く、かつ絶縁筒２２の長手方向の移動を妨げない程度の接触用の突条２８ｂを、絶縁筒長手方向に延在する態様で形成している。なお、２９は検電端子である。
絶縁筒２２の絶縁体２７はエチレンプロピレンゴム、内外の半導電層２６、２８はエチレンプロピレンゴムにカーボンを添加したものである。
【００２１】
この絶縁筒の内部に、一口側のケーブル挿入口２３から挿入した電力ケーブル３１の導体３１ａと二口側の２つのケーブル挿入口２４、２５からそれぞれ挿入した電力ケーブル３２、３３の導体３２ａ、３３ａとを電気的に接続した分岐状電気的接続部３４を収容し、各電力ケーブル３１、３２、３３のケーブル挿入口部分にそれぞれ、絶縁体３５ａ、３６ａ、３７ａと半導電層３５ｂ、３６ｂ、３７ｂとの２層からなるスペーサ３５、３６、３７を被せ、各スペーサ３５、３６、３７をそれぞれのケーブル挿入口２３、２４、２５に嵌合させている。
スペーサ３５，３６，３７の材質も絶縁筒２２と同様であり、絶縁体３５ａ、３６ａ、３７ａはエチレンプロピレンゴム、外部半導電層３５ｂ、３６ｂ、３７ｂはエチレンプロピレンゴムにカーボンを添加したものである。
【００２２】
二口側の２つのケーブル挿入口２４、２５の部分には、電力ケーブル３２、３２の絶縁筒外のシース部外面から絶縁筒２２のケーブル挿入口部２４、２５外面に渡って、常温収縮チューブからなる防水チューブ４１、４２が被せられている。
【００２３】
実施例では二口側の一方のケーブル挿入口２５に挿入される電力ケーブル３３は分岐ケーブルであって、他方の幹線電力ケーブル３２より小外径であるが、分岐ケーブル３３の前記防水チューブ４２が被せられる部分に、幹線電力ケーブル３２に合わせた外径の防水用スペーサ４３を被せている。
【００２４】
実施例の分岐状電気的接続部３４は、一口側のケーブル挿入口２３から挿入した電力ケーブル３１の導体３１ａに圧縮接続した羽子板圧縮端子４５の両面に、二口側の２つのケーブル挿入口２４、２５からそれぞれ挿入した電力ケーブル３２、３３の導体３２ａ、３３ａにそれぞれ圧縮接続した羽子板圧縮端子４６、４７をそれぞれ接触させボルト・ナット４８で締め付けて構成したものである。なお、絶縁筒２２内のケーブル導体どうしの電気的接続手段は、実施例では羽子板圧縮端子を用いたものであるが、これに限らず、種々の接続端子を用いた接続が可能である。
【実施例２】
【００２５】
上記の電力ケーブルのＹ分岐接続部構造２１を採用して、幹線ケーブルからケーブルを分岐させる手順を主として図５〜図１２を参照して説明する。二口側の一方の電力ケーブル３３は分岐ケーブル、一口側の電力ケーブル３１及び二口側の他方の電力ケーブル３２は幹線ケーブルである。なお、図５〜図１２各工程の説明図では、電力ケーブル３１、３２、３３の向き（導体の向き）は場合により同一方向で表しており、図１の向きに合わせていない。
【００２６】
（１）まず、図５（イ）に示すように、各電力ケーブル３１、３２、３３の皮剥ぎを行なう。電力ケーブル３１について符号を示すと、同図において、３１ａは前述のケーブル導体、３１ｂは絶縁体、３１ｃは外部半導電層、３１ｄは遮蔽層（遮蔽銅テープ）、３１ｅはケーブルシースである。
次いで、図５（ロ）に示すように、ＡＣＰテープ（粘着半導電性架橋ポリエチレンテープ）４９を外部半導電層３１ｃ部分の近傍に巻き付ける。
【００２７】
次いで、図５（ハ）に示すように、二口側の各電力ケーブル３２、３３に、それぞれ拡径した防水チューブ４１、４２を仮挿入する（被せておく）。実施例の防水チューブ４１、４２は、常温収縮チューブであり、螺旋状のノッチを入れて端末部５１ａを引っ張ることで除去可能にしたプラスチック製筒状のインナーコア５１に被せて拡径状態に保持されている。なお、分岐ケーブル３３の場合には、幹線電力ケーブル３２に合わせた外径とするための防水用スペーサ４３を被せる。
次いで、図５（ニ）に示すように、各電力ケーブル３１、３２、３３の遮蔽層３１ｄの部分で錫メッキ軟銅線５２による接地処理を行う。
【００２８】
（２）次いで、図６（イ）のように、一口側の電力ケーブル３１に断面外形が楕円状のスペーサ３５を仮挿入し、かつ、図６（ロ）のように、二口側の電力ケーブル３２、３３にそれぞれ、円形のスペーサ３６、３７を仮挿入する。
【００２９】
（３）次いで、図７（イ）、（ロ）に示すように、各電力ケーブル３１、３１、３３の導体３１ａ、３２ａ、３３ａにダイスを用いて羽子板圧縮端子４５、４６、４７を、ボルト穴が上下方向となる向きで圧縮接続する。
また、図８（イ）、（ロ）に示すように、スペーサ３５、３６、３７の薄肉円筒部３５ｃ、３６ｃ、３７ｃから、電力ケーブル３１、３２についてはシース３１ｅ、３２ｅ際にかけて、また電力ケーブル３３については防水用スペーサ４３の際にかけて、半導電性融着テープ５４、５５を段差谷埋めして巻き付ける。電力ケーブル３１については、さらにその上に防水テープ５８を巻き付ける。
【００３０】
（４）次いで、図９に示すように、絶縁筒２２の二口側の２つのケーブル挿入口２４、２５に、二口側の２本の電力ケーブル３２、３３をそれぞれ挿入し、図１０（イ）に示すように、さらに絶縁筒２２を二口側の電力ケーブル３２、３３の側にスライドさせて仮挿入する。
【００３１】
（５）次いで、図１０（ロ）や図１１（イ）に示すように、一口側の電力ケーブル３１の羽子板圧縮端子４５の上下面に、二口側の電力ケーブル３２、３３の羽子板圧縮端子４６、４７を重ね、ボルト・ナット４８を締め付けて、羽子板圧縮端子４５と羽子板圧縮端子４６及び４７とを電気的に接続（分岐状電気的接続部３４）する。
なお、一口側に絶縁栓が入る場合は、図１１（ロ）のように、ケーブル導体に圧縮接続していない単独の羽子板圧縮端子４５に羽子板圧縮端子４６、４７を固定する。
また、二口側の一方の例えばケーブル挿入口２５に絶縁栓が入る場合は、図１１（ハ）に示すように、絶縁栓挿入側の羽子板圧縮端子４７を省いた状態で、羽子板圧縮端子４５、４６を固定する。
【００３２】
（６）次いで、二口側の電力ケーブル３２、３３に送り込んでいた絶縁筒２２を一口側（図１０（ロ）で右方）にスライドさせて、一口側の電力ケーブル３１に被せたスペーサ３５を絶縁筒２２の一口側のケーブル挿入口２３に嵌合させ、かつ、二口側の電力ケーブル３２、３３に被せたスペーサ３６、３７を絶縁筒２２の二口側のケーブル挿入口２４、２５に嵌合させる（概ね図１の状態となる）。なお、各スペーサ３５、３６，３７の外周面には、図６（ハ）、（ニ）に示すように、挿入位置確認のための例えば線による挿入位置表示３５ｄ、３６ｄ、３７ｄが設けられており、その挿入位置表示３５ｄ、３６ｄ、３７ｄまでスペーサ３５、３６，３７をケーブル挿入口２３、２４、２５に挿入する。
また、図１２に示したスペーサ３５’のように、挿入位置決めのための段差５６を形成すると、スペーサが確実に所定の挿入位置まで挿入されるので、好ましい。また、挿入位置決め用として、段差に代えて周方向の突条を形成してもよい。
なお、空き回路がある場合は、そのケーブル挿入口に前述した絶縁栓を挿入する。絶縁栓にも挿入位置表示ないし位置決め部が設けられており、その挿入位置表示ないし位置決め部まで絶縁栓をケーブル挿入口２３、２４、２５に挿入する。図１２に一口側の絶縁栓３８及び二口側の絶縁栓３９の例を併せて示した。一口側の絶縁栓３８には前記スペーサ３５’と同様に位置決め用として段差５６を形成し、二口側の絶縁栓３９には位置決め用として突条５７を設けている。３８ａ、３９ａは絶縁体、３８ｂ、３９ｂは半導電層である。
スペーサ３５及び絶縁栓３８は楕円形状のケーブル挿入口２３に対応する楕円断面形状であるが、締まりバメにしているので、シリコン油等の潤滑剤を塗布して挿入するとよい。締まりバメなので、十分拘束力がありスペーサ３５及び絶縁栓３８がケーブル挿入口２３から抜けることはない。
【００３３】
（７）次いで、二口側の電力ケーブル３２、３３のシース端近傍にシーリングテープを巻き付けた上で、常温収縮チューブである拡径した防水チューブを防水処理を施す部分に移動させ、インナーコア５１を除去して防水チューブ４１、４２を収縮させる。これにより防水チューブ４１、４２が、絶縁筒２２のケーブル挿入口部２４、２５から電力ケーブル３２、３３のシース部分に渡って密着状態で被せられ、防水が施される。
また、一口側のスペーサ３５と絶縁筒２２との間に防水テープを巻き付ける防水処理を施す。
以上により、電力ケーブルのＹ分岐接続が行なわれる。
【実施例３】
【００３４】
上述の説明では、単心の電力ケーブルについてのＹ分岐接続の要領を説明したが、例えば実際の三相の地中配電線路の３心ケーブルについて、例えば分岐枡内で分岐接続部を行なう際については、分岐接続しようとする３心ケーブル６０を切断し、３心ケーブル６０の各ケーブル心線（単心の電力ケーブル）６１の撚りを分岐枡の口元からすべて解き、図１３に示すように、所定位置で切断する。その後、各ケーブル心線６１について、上述した図５以下の分岐接続作業を始める。
図１４は、分岐枡６２内で３本の各ケーブル線心６１について上述の分岐接続作業を行なって、３心ケーブル６０の分岐接続を完了した状態を示す。ケーブル線心６１は上述した実施例では電力ケーブル３１、３２、３３に相当する。上述の分岐接続を済ませた３つの絶縁筒２２を横並びにし中央部をステンレスバンド６３で束ねる。また、各相ごとに接地線（図示略）をまとめてボルト型コネクタで接続する。
図示のように、幅の狭いスリムな絶縁筒２２内に分岐状電気的接続部（図１の符号３４）が収容された構造であるから、コンパクトであり、３つ横並びの配置で分岐枡６２内に収容した状態も、幅方向に広いスペースを占めないので、分岐枡等の分岐接続部収容設備の省スペース化を実現できる。
【実施例４】
【００３５】
なお、実施例の防水チューブ４１、４２は、インナーコアで拡径しておきこれを除去して収縮させる常温収縮チューブであるが、加熱して収縮させる熱収縮チューブを用いることもできる。
【実施例５】
【００３６】
本発明のＹ分岐接続部構造は種々の分岐接続部に適用できるが、図１５に模式的に示したように、例えば中空の角形電柱７１の内部に土台７２の開口７２ａから立ち上げたケーブル６０（ケーブル線心６１）を沿わせる場合に適用すると、狭空間での使用に適した本発明のＹ分岐接続部構造のメリットが有効に生かされる。図示の角形電柱７１はＨ形鋼等による柱材７１ａの開口面を蓋板７１ｂで塞いだ構造である。また、建築物の柱が中空柱である場合にも、同様に適用できる。
【図面の簡単な説明】
【００３７】
【図１】本発明の一実施例の電力ケーブルのＹ分岐接続部構造を示す断面図である。
【図２】図１における絶縁筒のみを示した縦断面図である。
【図３】図２のＡ−Ａ断面図である。
【図４】（イ）は図２のＢ−Ｂ断面図、（ロ）は（イ）の要部拡大図である。
【図５】本発明の一実施例の電力ケーブルのＹ分岐接続方法の工程の初期の段階を説明するもので、（イ）は電力ケーブルの皮剥ぎをしてケーブル導体を露出させた状態を示す図、（ロ）は（イ）における半導電層近傍にＡＣＰテープ巻きした状態を示す図、（ハ）は拡径状態の常温収縮チューブである防水チューブを挿入する状態を説明する図、（ニ）は接地処理を行なう要領を説明する図である。
【図６】図５に続く段階で、スペーサを電力ケーブルに挿入する要領を説明するもので、（イ）は一口側のもの、（ロ）は二口側のものである。また、（ハ）、（ニ）は位置決め表示を説明するもので、（ハ）は一口側のスペーサの外観、（ロ）は二口側のスペーサの外観を示す。
【図７】図６に続く段階で、電力ケーブルの導体に羽子板圧縮端子を圧縮接続する要領を説明するもので、（イ）は一口側のもの、（ロ）は二口側のものである。
【図８】図７に続く段階で、半導電性融着テープ巻きの要領を説明するもので、（イ）は一口側のもの、（ロ）は二口側のものである。
【図９】図８に続く段階で、既に羽子板圧縮端子を接続した二口側の電力ケーブルを絶縁筒に仮挿入する要領を説明する図である。
【図１０】（イ）は図９の段階の作業により、絶縁筒が二口側の電力ケーブルに仮挿入された状態を示す図、（ロ）は（イ）に続く段階で、二口側の２本の電力ケーブルの羽子板圧縮端子と一口側の電力ケーブルの羽子板圧縮端子とを接続して分岐状電気的接続部を形成した状態を示す図である。
【図１１】（イ）は図１０（ロ）の段階における羽子板圧縮端子どうしの接続作業の要領を示した図、（ロ）は一口側に絶縁栓が入る場合の説明図、（ハ）は二口側に絶縁栓が入る場合の説明図である。
【図１２】絶縁筒のケーブル挿入口にスペーサ又は絶縁栓を挿入する際の挿入位置表示を説明する図である。
【図１３】実際の三相の配電線路の３本の電力ケーブルについて分岐接続部を行なう際の準備段階の要領を説明するもので、所定位置で電力ケーブルを切断した状態の平面図であり、この段階から、図５以下の作業を始める。
【図１４】分岐枡内で３心ケーブルについて電力ケーブルの分岐接続を完了させた状態の平面図である。
【図１５】本発明を、角形電柱に沿わせて配電ケーブルを布設する場合に適用する要領を説明する斜視図である。
【図１６】従来の分岐接続部構造（Ｙ分岐接続部構造）を模式的に示した断面図である。
【符号の説明】
【００３８】
２１  Ｙ分岐接続部構造
２２  絶縁筒
２３  一口側のケーブル挿入口
２４、２５  二口側のケーブル挿入口
２６  外部半導電層
２７  絶縁体
２８  内部半導電層
２８ａ  内側側面
２８ｂ  接触用の突条
２９  検電端子
３１  一口側の電力ケーブル
３２、３３  二口側の電力ケーブル
３１ａ、３２ａ、３３ａ  ケーブル導体
３１ｂ、３２ｂ、３３ｂ  絶縁体
３１ｃ  半導電層（半導電層３２ｃ、３３ｃは不図示）
３１ｄ  遮蔽層（遮蔽層３２ｄ、３３ｄは不図示）
３１ｅ、３２ｅ、３３ｅ  シース部
３４  分岐状電気的接続部
３５、３５’  一口側のスペーサ
３６、３７  二口側のスペーサ
３５ａ、３６ａ、３７ａ  絶縁体
３５ｂ、３６ｂ、３７ｂ  半導電層
３５ｃ、３６ｃ、３７ｃ  薄肉円筒部
３５ｄ、３６ｄ、３７ｄ  位置決め表示
３８  一口側の絶縁栓
３９  二口側の絶縁栓
３８ａ、３９ａ  絶縁体
３８ｂ、３９ｂ  半導電層
４１、４２  防水チューブ
４３  防水用スペーサ
４５  一口側の羽子板圧縮端子
４６、４７  二口側の羽子板圧縮端子
４８  ボルト・ナット
４９  ＡＣＰテープ巻き
５１  インナーコア
５１ａ  端末部
５２  錫メッキ軟銅線
５４、５５  半導電性融着テープ巻き
５６  （挿入位置決め用の）段差
５７  （挿入位置決め用の）突条
５６  挿入位置表示
５８  防水テープ
６０  ３心ケーブル
６１  ケーブル線心（＝電力ケーブル３１、３２）
６２  分岐枡
６３  ステンレスバンド
７１  角形電柱
７１ａ  Ｈ形鋼の柱材
７１ｂ  蓋板
７２  土台
７２ａ  開口
【図１】
2005354843.tif 000003
【図２】
2005354843.tif 000004
【図３】
2005354843.tif 000005
【図４】
2005354843.tif 000006
【図５】
2005354843.tif 000007
【図６】
2005354843.tif 000008
【図７】
2005354843.tif 000009
【図８】
2005354843.tif 000010
【図９】
2005354843.tif 000011
【図１０】
2005354843.tif 000012
【図１１】
2005354843.tif 000013
【図１２】
2005354843.tif 000014
【図１３】
2005354843.tif 000015
【図１４】
2005354843.tif 000016
【図１５】
2005354843.tif 000017
【図１６】
2005354843.tif 000018